(57)【要約】【課題】掃除作業中に掃除機本体が障害物に当たっても、容易に障害物をすり抜けることができ、作業性のよい電気掃除機を提供することを目的とする。【解決手段】掃除機本体１に設けたバンパー部９を、外周部を曲面形状とし、かつ掃除機本体１の前方より突出した状態で水平方向に回動可能に設けたものである。これによって、掃除作業中、障害物があってもこれはバンパー部９に当たり、バンパー部９の外周部の曲面形状と水平方向への回動によって、掃除機本体１が容易に障害物をすり抜けることができ、作業性がよいものである。【選択図】図１
2007111158.tif 000002
【特許請求の範囲】
【請求項１】
電動送風機およびごみ集塵部を内蔵し移動可能な掃除機本体と、この掃除機本体に設けたバンパー部とを備え、バンパー部は、外周部が曲面形状でかつ掃除機本体の前方より突出した状態で水平方向に回動可能に設けた電気掃除機。
【請求項２】
バンパー部は回動方向に対して逆方向に付勢するように構成した請求項１に記載の電気掃除機。
【請求項３】
バンパー部の回動中心位置は、掃除機本体の前方底部に設けた車輪の回転中心と同軸とした請求項１または２に記載の電気掃除機。
【請求項４】
バンパー部は、掃除機本体に設けた延長ホース着脱部よりも下方に位置して設けた請求項１〜３のいずれか１項に記載の電気掃除機。
【請求項５】
バンパー部は、把手部となる穴部を有する請求項１〜４のいずれか１項に記載の電気掃除機。
【請求項６】
バンパー部は、少なくともその表面を軟質部材で構成した請求項１〜５のいずれか１項に記載の電気掃除機。
【請求項７】
バンパー部は、少なくともその表面を滑り部材で構成した請求項１〜５のいずれか１項に記載の電気掃除機。
【発明の詳細な説明】
【技術分野】
【０００１】
本発明は、一般家庭で使用される電気掃除機に関するものである。
【背景技術】
【０００２】
従来、一般的な電気掃除機は、集塵部や電動送風機を内蔵した掃除機本体を引き回しながら掃除するようになっており、掃除機本体には障害物に衝突しても大丈夫なようにバンパーが設けられている（例えば、特許文献１参照）。
【特許文献１】特開２００１−２３８８２４号公報
【発明の開示】
【発明が解決しようとする課題】
【０００３】
しかしながら、前記従来の構成では、床などの掃除の際、掃除機本体が障害物（例えば、テーブルの足など）に引っかかり、なかなか動かすことができないことがよく起こる。これは、掃除機本体と障害物との当接部の摩擦力が大きくなることによる。この場合、その都度、掃除機本体を方向転換させる必要があり、大変煩わしいものであった。
【０００４】
本発明は、前記従来の課題を解決するもので、掃除作業中に掃除機本体が障害物に当たっても、容易に障害物をすり抜けることができ、作業性のよい電気掃除機を提供することを目的とする。
【課題を解決するための手段】
【０００５】
前記従来の課題を解決するために、本発明の電気掃除機は、掃除機本体に設けたバンパー部を、外周部を曲面形状とし、かつ掃除機本体の前方より突出した状態で水平方向に回動可能に設けたものである。
【０００６】
これによって、掃除作業中、障害物があってもこれはバンパー部に当たり、バンパー部の外周部の曲面形状と水平方向への回動によって、掃除機本体が容易に障害物をすり抜けることができ、作業性がよいものである。
【発明の効果】
【０００７】
本発明の電気掃除機は、掃除作業中に障害物があっても、掃除機本体が容易に障害物をすり抜けることができ、作業性がよいものである。
【発明を実施するための最良の形態】
【０００８】
第１の発明は、電動送風機およびごみ集塵部を内蔵し移動可能な掃除機本体と、この掃除機本体に設けたバンパー部とを備え、バンパー部は、外周部が曲面形状でかつ掃除機本体の前方より突出した状態で水平方向に回動可能に設けた電気掃除機とすることにより、掃除作業中、障害物があってもこれはバンパー部に当たり、バンパー部の外周部の曲面形状と水平方向への回動によって、掃除機本体が容易に障害物をすり抜けることができ、作業性がよいものである。
【０００９】
第２の発明は、特に、第１の発明において、バンパー部は回動方向に対して逆方向に付勢するように構成したことにより、障害物にバンパー部が衝突した場合、バンパー部の付勢力で障害物を押し、掃除機本体の方向を変え、障害物を容易にすり抜けることができるものである。
【００１０】
第３の発明は、特に、第１または第２の発明において、バンパー部の回動中心位置は、掃除機本体の前方底部に設けた車輪の回転中心と同軸としたことにより、障害物にバンパー部が当接したときの回転トルクをそのまま車輪に伝達でき、車輪にバンパー部に当接した時の力が確実に伝達することができるものである。
【００１１】
第４の発明は、特に、第１〜第３のいずれか１つの発明において、バンパー部は、掃除機本体に設けた延長ホース着脱部よりも下方に位置して設けたことにより、障害物とバンパー部が当たっても車輪が確実に床面に載った状態となり、掃除機本体の方向を容易に変化させることができるため、掃除機本体の走行方向を変え、障害物を容易にすり抜けることができるものである。ちなみに、バンパー部が延長ホース着脱部より上方にあった場合、掃除機本体を引き回す力の掛かる位置が障害物に当たる位置より下方となり、障害物とバンパー部の当たる位置が支点となり、掃除機本体の前方が浮き上がる方向に力が働くものである。このため車輪が床面から浮き上がり方向転換することができなくなることが起こる。
【００１２】
第５の発明は、特に、第１〜第４のいずれか１つの発明において、バンパー部は、把手部となる穴部を有することにより、障害物の回避として使用されるバンパー部を、掃除機本体を持ち運ぶ把手として利用でき、使い勝手を大幅に向上できるものである。
【００１３】
第６の発明は、特に、第１〜第５のいずれか１つの発明において、バンパー部は、少なくともその表面を軟質部材で構成したことにより、バンパー部は障害物に衝突したときの衝撃を和らげると共に、障害物となる家具などを傷つける心配もなく、さらに把手として使用した場合も、手が痛くなるようなことも無くなるものである。
【００１４】
第７の発明は、特に、第１〜第５のいずれか１つの発明において、バンパー部は、少なくともその表面を滑り部材で構成したことにより、バンパー部は障害物に衝突したとき障害物が滑りやすくなり、障害物となる家具などを傷つける心配もなく、障害物をさらに容易にすり抜けることができるものである。
【００１５】
以下、本発明の実施の形態について、図面を参照しながら説明する。なお、この実施の形態によって本発明が限定されるものではない。
【００１６】
（実施の形態１）
図１〜図４は、本発明の実施の形態１における電気掃除機を示すものである。
【００１７】
図１に示すように、掃除機本体１は、電動送風機１ａとその上流側に設けごみを捕集するごみ集塵部１ｂを内蔵しており、前後の車輪８、７により自由に移動可能となっている。また、掃除機本体１の前方には、延長ホース４が着脱できる延長ホース着脱部５が、後方には排気口６がそれぞれ設けられている。延長ホース４には延長パイプ３を介してごみを吸引するための吸引ノズル２が設けられている。
【００１８】
図２に示すように、前方の車輪８は、掃除機本体１の底部に方向が自在に設けられ、掃除機本体１の進行方向が自在に変えられるようになっている。後方の車輪７は、掃除機本体１の後方両側面部に設けられている。
【００１９】
図２、図３に詳細を示しているように、掃除機本体１の前方下部にはバンパー部９を設けている。このバンパー部９は、その外周部が略半円状などの曲面形状でかつ掃除機本体１の前方より突出した状態で軸部１０を中心として水平方向に回動可能なものである。
【００２０】
以上のように構成された電気掃除機の動作について図４により説明する。
【００２１】
図は、掃除機本体１を矢印Ｂ方向に進行させるものとしている。ここで、障害物１１があった場合、まず掃除機本体１に設けられたバンパー部９が当たり、その力によってバンパー部９は回動する。その時、バンパー部９に当たった力はバンパー部９の軸部１０に伝わり、矢印Ｇ方向に力が働き、掃除機本体１が矢印Ｈの方向に向きを変え、障害物１１をすり抜けることができる。また、バンパー部９の回動により、障害物１１とバンパー部９との当接角が鋭角となり、障害物１１面をバンパー部９が滑りやすくなることによっても、障害物１１をすり抜けやすくしているものである。なお、バンパー部９の回動角などは掃除機本体１や車輪８の位置により変わるが、特に限定するものではない。
【００２２】
このように、本実施の形態では、バンパー部９を設けたことにより、掃除作業中、障害物があっても、バンパー部の外周部の曲面形状と水平方向への回動によって、掃除機本体が容易に障害物をすり抜けることができ、作業性がよいものである。
【００２３】
（実施の形態２）
図５は、本発明の実施の形態２における電気掃除機を示すものである。実施の形態１と同一要素については同一符号を付してその説明を省略する。
【００２４】
本実施の形態では、バンパー部９は軸部１０を中心とする回動方向に対して、弾性部材としてのねじりバネ１２の作用により逆方向に付勢するように構成したものである。
【００２５】
この構成により、掃除機本体１が矢印Ｂ方向に進行し、障害物１１にバンパー部９があたり、その力によってバンパー部９は回転する。その時、バンパー部９の回転を戻そうとする力がねじりバネ１２により働き、その力により掃除機本体１は矢印Ｊの方向に押しつけられ、この力により車輪８が回転し掃除機本体１が矢印Ｋの方向に向きを変え、障害物１１をすり抜けることができる。このとき強制的な弾性力で掃除機本体１の進行方向を確実に変えることができるものである。
【００２６】
このように、本実施の形態では、バンパー部は回動方向に対して逆方向に付勢するように構成したことにより、障害物にバンパー部が衝突した場合、バンパー部の付勢力で障害物を押し、掃除機本体の方向を変え、障害物を容易にすり抜けることができるものである。
【００２７】
（実施の形態３）
図６は、本発明の実施の形態３における電気掃除機を示すものである。実施の形態１と同一要素については同一符号を付してその説明を省略する。
【００２８】
本実施の形態では、バンパー部９の回動中心位置は、掃除機本体１の前方底部に設けた車輪８の回転中心と同軸とした。すなわち、バンパー部９の回動中心位置を車輪８の回転軸１３と同軸としている。
【００２９】
この構成により、掃除機本体１が矢印Ｂ方向に進行し、障害物１１にバンパー部９があたり、その力によってバンパー部９は回転する。その時、バンパー部９に当たった力はバンパー部９の回転中心である車輪８の回転軸１３に伝わり、この力により車輪８が回転し掃除機本体１が矢印Ｌの方向に向きを変え、障害物１１をすり抜けることができる。
【００３０】
このように、本実施の形態では、障害物にバンパー部が当接したときの回転トルクをそのまま車輪に伝達でき、車輪にバンパー部に当接した時の力が確実に伝達することができるものである。
【００３１】
（実施の形態４）
次に、本発明の実施の形態４における電気掃除機について説明する。
【００３２】
本実施の形態では、実施の形態１に示したように、バンパー部９は、掃除機本体１に設けた延長ホース着脱部５よりも下方に位置して設けた構成としている。
【００３３】
これは、バンパー部９が延長ホース着脱部５より上方にあった場合、掃除機本体１を引き回す力の掛かる位置が障害物に当たる位置より下方となり、障害物とバンパー部９の当たる位置が支点となり、掃除機本体１の前方が浮き上がる方向に力が働くものである。このため車輪８が床面から浮き上がり方向転換することができなくなることが起こる。そのため、バンパー部９を延長ホース着脱部５より下方に位置させた構成としている。
【００３４】
このように、本実施の形態では、バンパー部９の位置を配慮したことにより、障害物に当たっても前輪が確実に床面に乗った状態となり、掃除機本体の方向を容易に変化させることができるため、掃除機本体の方向を変え、障害物を容易にすり抜けることができるものである。
【００３５】
（実施の形態５）
図７は、本発明の実施の形態５における電気掃除機を示すものである。実施の形態１と同一要素については同一符号を付してその説明を省略する。
【００３６】
本実施の形態では、バンパー部９は、把手部となる穴部１４を有するものである。穴部１４の形状は特に限定されるものではなく、使用者がこの穴部１４に手を入れて掃除機本体１を持ち運ぶために利用できるものであればよい。図は掃除機本体１を車輪８が上になる状態で持ち運ぶ様子を示している。
【００３７】
このように、本実施の形態では、障害物の回避として使用されるバンパー部を、掃除機本体を持ち運ぶ把手として利用でき、使い勝手を大幅に向上できるものである。
【００３８】
（実施の形態６）
次に、本発明の実施の形態６における電気掃除機について説明する。
【００３９】
本実施の形態では、各実施の形態１〜５に示した、バンパー部９は、少なくともその表面を軟質部材で構成したものである。軟質部材としてはゴムやエラストマーなどがあげられる。そして、この軟質部材により表面だけでなくバンパー部９の全体を形成してもよいことはあきらかである。
【００４０】
このように、本実施の形態では、軟質部材を用いたことにより、バンパー部９は障害物に衝突したときの衝撃を和らげると共に、障害物となる家具などを傷つける心配もなく、さらに把手として使用した場合も、手が痛くなるようなことも無くなるものである。
【００４１】
（実施の形態７）
次に、本発明の実施の形態７における電気掃除機について説明する。
【００４２】
本実施の形態では、各実施の形態１〜５に示した、バンパー部９は、少なくともその表面を滑り部材で構成したものである。滑り部材としてはナイロンやフッ素樹脂などがあげられる。そして、この滑り部材により表面だけでなくバンパー部９の全体を形成してもよいことはあきらかである。
【００４３】
このように、本実施の形態では、滑り部材を用いたことにより、バンパー部９は障害物に衝突したとき障害物が滑りやすくなり、障害物となる家具などを傷つける心配もなく、障害物をさらに容易にすり抜けることができるものである。
【産業上の利用可能性】
【００４４】
以上のように、本発明にかかる電気掃除機は、掃除作業中に障害物があっても、掃除機本体が容易に障害物をすり抜けることができ、作業性がよいものであるので、延長ホース、延長パイプおよび吸引ノズルを有する電気掃除機はもちろんのこと、自走式電気掃除機などにも応用可能である。
【図面の簡単な説明】
【００４５】
【図１】本発明の実施の形態１における電気掃除機の外観図
【図２】同電気掃除機の図１におけるＡ−Ａ矢視で示した下面図
【図３】同電気掃除機の部分断面図
【図４】同電気掃除機を示す下面図
【図５】本発明の実施の形態２における電気掃除機を示す下面図
【図６】本発明の実施の形態３における電気掃除機を示す下面図
【図７】本発明の実施の形態５における電気掃除機を示す側面図
【符号の説明】
【００４６】
１  掃除機本体
２  吸引ノズル
３  延長パイプ
４  延長ホース
５  延長ホース着脱部
６  排気口
７、８  車輪
９  バンパー部
１０  軸部
１１  障害物
１２  ねじりバネ（弾性部材）
１３  回転軸
１４  穴部
【図１】
2007111158.tif 000003
【図２】
2007111158.tif 000004
【図３】
2007111158.tif 000005
【図４】
2007111158.tif 000006
【図５】
2007111158.tif 000007
【図６】
2007111158.tif 000008
【図７】
2007111158.tif 000009